【手続補正書】
【提出日】平成20年9月22日(2008.9.22)
【手続補正１】
【補正対象書類名】明細書
【補正対象項目名】特許請求の範囲
【補正方法】変更
【補正の内容】
【特許請求の範囲】
【請求項１】  撮像操作により得た撮像データを圧縮処理して記憶媒体に記録する撮像装置であって、
上記撮像データがそれぞれ供給され、供給された撮像データを異なる画像圧縮方式にて圧縮処理する複数の画像圧縮手段を備え、
上記複数の画像圧縮手段の並列処理によりそれぞれ圧縮処理された撮像データを異なる圧縮画像ファイルとして上記記憶媒体に記録することを特徴とする撮像装置。
【請求項２】  撮影画像の光学情報をデジタル情報に変換して、圧縮画像ファイルとして記憶媒体に記録する撮像装置であって、
上記撮影画像の撮像データを異なる画像圧縮方式にて圧縮処理する複数の画像圧縮手段を備え、
撮影操作により得られた上記撮影画像の光学情報を変換した上記撮像データを上記複数の画像圧縮手段の並列処理によりそれぞれ圧縮処理し、異なる圧縮画像ファイルとして上記記憶媒体に記録することを特徴とする撮像装置。
【請求項３】  上記複数の画像圧縮手段は、可逆圧縮方式にて圧縮処理する画像圧縮手段と、非可逆圧縮方式にて圧縮処理する画像圧縮手段とを含むことを特徴とする請求項１または２に記載の撮像装置。
【請求項４】  上記撮像データをそれぞれ圧縮処理することにより得られる複数の圧縮画像ファイルは、ＴＩＦＦ形式のファイルと、非可逆式ＪＰＥＧ形式のファイルとを含むことを特徴とする請求項１〜３の何れか１項に記載の撮像装置。
【請求項５】  上記複数の画像圧縮手段への上記撮像データの供給停止を要求する停止要求手段をさらに備えることを特徴とする請求項１〜４の何れか１項に記載の撮像装置。
【請求項６】  撮影画像の光学情報をデジタル情報に変換して、圧縮画像ファイルとして主記憶手段に記録する撮像装置であって、
上記撮影画像の撮影動作の開始および上記撮影画像の撮像データの記録動作の開始を制御する制御手段と、
上記撮影動作により得られた撮像データに補正処理を施す前段処理手段と、
上記前段処理手段により補正処理された撮像データに画像処理および圧縮処理を施すデジタル信号処理手段と、
上記デジタル信号処理手段により処理された撮像データを記憶する一時記憶手段と、
上記一時記憶手段に記憶された撮像データを圧縮画像ファイルとして記録する主記憶手段とを有し、
上記前段処理手段は、上記撮影動作により得られた撮像データを一時格納する撮像データ格納手段と、
上記撮像データ格納手段を制御する格納制御手段と、
上記撮像データ格納手段から供給される撮像データに補正処理を施す補正手段とを具備し、
上記デジタル信号処理手段は、複数のデータ蓄積手段と、
上記複数のデータ蓄積手段の全て、または少なくとも１つでオーバーフローが発生する前に、上記前段処理手段にウェイト要求を出力する停止要求手段とを具備し、
上記制御手段からの指示に基づいて、上記撮像データの記録動作が開始された後、上記前段処理手段は、上記撮像データ格納手段から撮像データの読み出しを開始するとともに、上記停止要求手段からのウェイト要求を検出した場合には、上記デジタル信号処理手段に対する補正処理した撮像データの転送出力を一時停止することを特徴とする撮像装置。
【請求項７】  上記デジタル信号処理手段は、上記撮像データを圧縮処理する複数の画像圧縮手段と、
上記画像圧縮手段を並列に動作させるために配置された入力データパスと、
上記画像圧縮手段により圧縮処理された撮像データを蓄積し出力するために独立して配置された蓄積出力手段と、
上記独立して配置された蓄積出力手段に、上記一時記憶手段が接続されているデータバスへのバス権を与えるバス調停手段とを具備し、
上記バス調停手段は、上記蓄積出力手段の記憶容量を取得するとともに、上記蓄積出力手段の全て、または少なくとも１つでオーバーフローが発生する前に、状態を上記停止要求手段に通知することを特徴とする請求項６に記載の撮像装置。
【請求項８】  上記停止要求手段への通知は、上記バス調停手段からの通知と、上記デジタル信号処理手段が有するデータ蓄積手段および上記データ蓄積手段を制御するデータ蓄積制御手段からの通知とがあることを特徴とした請求項７に記載の撮像装置。
【請求項９】  上記停止要求手段からのウェイト要求に応じた上記デジタル信号処理手段に対する補正処理した撮像データの転送出力の一時停止は、上記前段処理手段の制御するフレームのラスタ単位で行われることを特徴とする請求項６〜８の何れか１項に記載の撮像装置。
【請求項１０】  上記停止要求手段から出力されるウェイト要求の上記前段処理手段による検出期間を、１ラスタ期間中に任意に設け、ラスタ期間毎に上記ウェイト要求の検出を行うとともに、
上記ウェイト要求を検出したときには、上記前段処理手段は次のラスタ期間における有効な撮像データの出力を一時停止することを特徴とする請求項６〜９の何れか１項に記載の撮像装置。
【請求項１１】  撮影画像の撮像データを圧縮処理して記憶媒体に記録する画像処理方法であって、
上記撮像データをそれぞれ供給し、複数の異なる画像圧縮方式の並列動作として撮像データを圧縮処理する画像圧縮ステップと、
上記画像圧縮ステップにてそれぞれ圧縮処理された撮像データを異なる圧縮画像ファイルとして上記記憶媒体に記録する記録ステップとを有することを特徴とする画像処理方法。
【請求項１２】  撮影画像の光学情報をデジタル情報に変換して圧縮画像ファイルとして記憶媒体に記録する画像処理方法であって、
撮影操作により得られた上記撮影画像の光学情報を変換した撮像データを複数の異なる画像圧縮方式の並列動作としてそれぞれ圧縮処理する画像圧縮ステップと、
上記画像圧縮ステップにてそれぞれ圧縮処理された撮像データを、異なる圧縮画像ファイルとして上記記憶媒体に記録する記録ステップとを有することを特徴とする画像処理方法。
【請求項１３】  上記複数の異なる画像圧縮方式は、可逆圧縮方式と、非可逆圧縮方式とを含むことを特徴とする請求項１１または１２に記載の画像処理方法。
【請求項１４】  上記画像圧縮ステップにて上記撮像データを圧縮処理している際に、上記撮像データの供給停止を要求するための停止要求ステップをさらに有することを特徴とする請求項１１〜１３の何れか１項に記載の画像処理方法。
【請求項１５】  請求項１１〜１４の何れか１項に記載の画像処理方法の処理手順をコンピュータに実行させるためのプログラム。
【請求項１６】  請求項１５に記載のプログラムを記録したことを特徴とするコンピュータ読み取り可能な記録媒体。
【請求項１７】  対象に係る光学情報をデジタル情報に変換し、圧縮画像ファイルとして主記憶に記録する撮像装置であって、
撮影画像の撮影動作の開始および上記撮影画像の記録動作の開始を制御する制御手段と、
上記撮影動作により得られた撮像データに補正処理を施す前段処理手段と、
上記前段処理手段により補正された上記撮像データに画像処理および圧縮処理を施すデジタル信号処理手段と、
上記デジタル信号処理手段により処理された上記撮像データを記憶する一時記憶手段と、
上記一時記憶手段に記憶された上記撮像データを圧縮画像ファイルとして記録する主記憶手段とを有し、
上記前段処理手段は、
上記撮影動作により得られた上記撮像データを一時格納する撮像データ格納手段と、
上記撮像データ格納手段を制御する格納制御手段と、
上記撮像データ格納手段から供給される上記撮像データに補正処理を施す補正手段とを有し、
上記デジタル信号処理手段は、
複数のデータ蓄積手段と、
上記複数のデータ蓄積手段の全て、または少なくとも１つでオーバーフローが発生する前に上記前段処理手段にウェイト要求を出力する停止要求手段とを有し、
上記前段処理手段は、上記制御手段からの命令に応じて上記撮像データの記録動作が開始された後に上記撮像データ格納手段から撮像データの読み出しを開始し、上記停止要求手段からのウェイト要求が検出された場合には上記デジタル信号処理手段への補正された撮像データの転送出力を一時停止することを特徴とする撮像装置。
【請求項１８】  上記デジタル信号処理手段は、
上記撮像データを圧縮する複数の画像圧縮手段と、
上記複数の画像圧縮手段を同時に動作させるために配置された入力データパスと、
上記画像圧縮手段により圧縮された撮像データを蓄積し出力するために独立して配置された蓄積出力手段と、
独立して配置された上記蓄積出力手段に、上記一時記憶手段に接続されたデータバスへのバス権を与えるバス調停手段とを有し、
上記バス調停手段は、上記蓄積出力手段の記憶容量を取得し、上記蓄積出力手段の全て、または少なくとも１つでオーバーフローが発生する前に、状態を上記停止要求手段に通知することを特徴とする請求項１７に記載の撮像装置。
【請求項１９】  上記停止要求手段への通知は、上記バス調停手段からの通知および上記データ蓄積手段を制御するデータ蓄積制御手段からの通知を含むことを特徴とする請求項１８に記載の撮像装置。
【請求項２０】  上記停止要求手段からのウェイト要求に応じた上記デジタル信号処理手段への補正された撮像データの転送出力の一時停止は、上記前段処理手段により制御されるフレームのラスタ単位で行われることを特徴とする請求項１７に記載の撮像装置。
【請求項２１】  上記前段処理手段により行われる上記停止要求手段から出力されるウェイト要求の検出期間が、１ラスタ期間中に任意に設けられ、ウェイト要求の検出がラスタ期間毎に行われ、ウェイト要求が検出されたときには、上記前段処理手段は、次のラスタ期間において有効な撮像データの出力を一時停止することを特徴とする請求項１７に記載の撮像装置。
【手続補正２】
【補正対象書類名】明細書
【補正対象項目名】００１４
【補正方法】変更
【補正の内容】
【００１４】
本発明の撮像装置は、撮影画像の光学情報をデジタル情報に変換して、圧縮画像ファイルとして記憶媒体に記録する撮像装置であって、上記撮影画像の撮像データを異なる画像圧縮方式にて圧縮処理する複数の画像圧縮手段を備え、撮影操作により得られた上記撮影画像の光学情報を変換した上記撮像データを上記複数の画像圧縮手段の並列処理によりそれぞれ圧縮処理し、異なる圧縮画像ファイルとして上記記憶媒体に記録することを特徴とする。
【手続補正３】
【補正対象書類名】明細書
【補正対象項目名】００１５
【補正方法】変更
【補正の内容】
【００１５】
本発明の撮像装置は、撮影画像の光学情報をデジタル情報に変換して、圧縮画像ファイルとして主記憶手段に記録する撮像装置であって、上記撮影画像の撮影動作の開始および上記撮影画像の撮像データの記録動作の開始を制御する制御手段と、上記撮影動作により得られた撮像データに補正処理を施す前段処理手段と、上記前段処理手段により補正処理された撮像データに画像処理および圧縮処理を施すデジタル信号処理手段と、上記デジタル信号処理手段により処理された撮像データを記憶する一時記憶手段と、上記一時記憶手段に記憶された撮像データを圧縮画像ファイルとして記録する主記憶手段とを有し、上記前段処理手段は、上記撮影動作により得られた撮像データを一時格納する撮像データ格納手段と、上記撮像データ格納手段を制御する格納制御手段と、上記撮像データ格納手段から供給される撮像データに補正処理を施す補正手段とを具備し、上記デジタル信号処理手段は、複数のデータ蓄積手段と、上記複数のデータ蓄積手段の全て、または少なくとも１つでオーバーフローが発生する前に、上記前段処理手段にウェイト要求を出力する停止要求手段とを具備し、上記制御手段からの指示に基づいて、上記撮像データの記録動作が開始された後、上記前段処理手段は、上記撮像データ格納手段から撮像データの読み出しを開始するとともに、上記停止要求手段からのウェイト要求を検出した場合には、上記デジタル信号処理手段に対する補正処理した撮像データの転送出力を一時停止することを特徴とする。
【手続補正４】
【補正対象書類名】明細書
【補正対象項目名】００１６
【補正方法】変更
【補正の内容】
【００１６】
本発明の撮像装置は、対象に係る光学情報をデジタル情報に変換し、圧縮画像ファイルとして主記憶に記録する撮像装置であって、撮影画像の撮影動作の開始および上記撮影画像の記録動作の開始を制御する制御手段と、上記撮影動作により得られた撮像データに補正処理を施す前段処理手段と、上記前段処理手段により補正された上記撮像データに画像処理および圧縮処理を施すデジタル信号処理手段と、上記デジタル信号処理手段により処理された上記撮像データを記憶する一時記憶手段と、上記一時記憶手段に記憶された上記撮像データを圧縮画像ファイルとして記録する主記憶手段とを有し、上記前段処理手段は、上記撮影動作により得られた上記撮像データを一時格納する撮像データ格納手段と、上記撮像データ格納手段を制御する格納制御手段と、上記撮像データ格納手段から供給される上記撮像データに補正処理を施す補正手段とを有し、上記デジタル信号処理手段は、複数のデータ蓄積手段と、上記複数のデータ蓄積手段の全て、または少なくとも１つでオーバーフローが発生する前に上記前段処理手段にウェイト要求を出力する停止要求手段とを有し、上記前段処理手段は、上記制御手段からの命令に応じて上記撮像データの記録動作が開始された後に上記撮像データ格納手段から撮像データの読み出しを開始し、上記停止要求手段からのウェイト要求が検出された場合には上記デジタル信号処理手段への補正された撮像データの転送出力を一時停止することを特徴とする。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２３
【補正方法】変更
【補正の内容】
【００２３】
本発明の画像処理方法は、撮影画像の光学情報をデジタル情報に変換して圧縮画像ファイルとして記憶媒体に記録する画像処理方法であって、撮影操作により得られた上記撮影画像の光学情報を変換した撮像データを複数の異なる画像圧縮方式の並列動作としてそれぞれ圧縮処理する画像圧縮ステップと、上記画像圧縮ステップにてそれぞれ圧縮処理された撮像データを、異なる圧縮画像ファイルとして上記記憶媒体に記録する記録ステップとを有することを特徴とする。
【手続補正１１】
【補正対象書類名】明細書
【補正対象項目名】００２４
【補正方法】削除
【補正の内容】